(57)【要約】      （修正有）【課題】ギターやピアノを演奏しながらハーモニカ演奏する際に、首回りに掛けて使用するハーモニカホルダーにおいて、当該ホルダーを頭頂部以外から装着し、演奏者の口元の最適な位置にハーモニカを保持するハーモニカホルダーを提供する。【解決手段】ハーモニカホルダー１は、吊り金具２とハーモニカ保持金具７から構成され、両金具は手で締付け可能なネジで連結される。吊り金具下部には、ハーモニカ保持金具取付部分が演奏者の前方に突き出す形で溝５が形成されていることにより、ハーモニカ１０の高さと角度を自由に変えることが可能である。更に当該部分を中心に、演奏者の胸部に密着するように滑り止め加工が施された振れ止め６が左右方向に張出してある。片方の振れ止めは、演奏者首元の方向に伸びており、首回りに掛かるように湾曲してあり、頭頂部以外から装着が可能である。ハーモニカ保持金具の上部には弾性体８によりハーモニカが固定されてあり、容易にハーモニカを脱着すことが可能である。【選択図】図１
0003170328.tif 000002
【実用新案登録請求の範囲】
【請求項１】
演奏者が首回りにかけて使用するハーモニカホルダーであって、首回りにかけるための吊り金具を具備し、この吊り金具は、その一部が首回りを通過できる大きさに開口しているか、開口可能に形成されているハーモニカホルダー。
【請求項２】
吊り金具下部には、ハーモニカ保持金具取付部分が、演奏者の前方に突き出す形で形成されていることにより、ハーモニカの高さと角度を変えられる、請求項１記載のハーモニカホルダー。
【考案の詳細な説明】
【技術分野】
【０００１】
本考案は、両手を使わずにハーモニカを演奏する時に使用するハーモニカホルダーに関する。
【背景技術】
【０００２】
一人でギターやピアノを演奏しながらハーモニカの演奏も行なう同時演奏がある。この同時演奏では、ハーモニカを手で保持できないため、ハーモニカを保持して演奏者の口元に留め置くハーモニカホルダーが用いられる。図６は、従来の一般的なハーモニカホルダーの外観図である（例えば、特許文献１参照）。ハーモニカホルダーは、演奏者の首回りに吊り下げてハーモニカホルダーの落下を防ぐための吊り金具と、ハーモニカを保持するための門形に形成された保持金具とから構成されている。
【０００３】
保持金具には門形金具の頂部中央辺との間でハーモニカを挟持するための支持板が、その両端部分に設けた二つ孔に金属棒で形成された門両足を貫通させた状態で頂部中央辺に平行移動可能に取り付けてある。そして、支持板は門形金具の各足の中程に取り付けたばねにより頂部中央辺方向に付勢されており、支持板に載せたハーモニカは頂部中央辺との間で挟持される構造になっている。
【０００４】
吊り金具と保持金具は金属棒で製作されており、両金具の両端部分にねじの通す小さい輪が形成されてねじと蝶ナットを使用して連結されている。
【先行技術文献】
【特許文献】
【０００５】
【特許文献１】実用新案登録第３１０３３８１号公報
【考案の概要】
【考案が解決しようとする課題】
【０００６】
図６のようにハーモニカホルダーは輪状になっていることから、頭頂部から首回りに装着する必要がある。この場合、演奏者が帽子等をかぶっている時や、頭髪をメイクアップしている状態での頭頂部からの装着は困難である。
【０００７】
また、個人差がある演奏者の口元近くにハーモニカを留めるためには高さを調整する必要ある。図６に示す従来のハーモニカホルダーでは、角度の調整は可能であるが高さを調整出来ない。
【０００８】
本考案は、上記の問題点を解決するためのもので、演奏者の頭頂部以外から首回りにハーモニカホルダーを装着し、演奏に最適な口元位置にハーモニカを留め置くハーモニカホルダーを提供することを目的としている。
【課題を解決するための手段】
【０００９】
上記の目的を達成するために、本考案に係るハーモニカホルダーは、ハーモニカ挟持機構を備えたハーモニカ保持金具と、演奏者の首回りから吊り下げる吊り金具とを、演奏者の前方に回転可能に連結して両金具の角度と高さを調整可能にしたハーモニカホルダーにおいて、吊り金具の一部が開口しているか、開口可能に形成されている。
【００１０】
また、本考案に記載のハーモニカホルダーにおいて、吊り金具の演奏者の前方に突き出した部分であるハーモニカ保持金具と連結される部分には、溝が形成されてある。
【考案の効果】
【００１１】
以上の説明から明らかなように、本考案にあっては、演奏者の頭頂部以外から首回りに装着出来る。
【００１２】
さらにハーモニカ保持金具の位置を無段階に調整できるため、演奏に最適な口元位置にハーモニカを留め置くことが出来る。
【００１３】
演奏者がギターを演奏する時に、ギターベルトがハーモニカホルダー吊り金具の邪魔にならない。
【図面の簡単な説明】
【００１４】
【図１】ハーモニカホルダーの斜視図
【図２】ハーモニカホルダーの正面図
【図３】ハーモニカホルダーの右側面図
【図４】本考案の実施状態を示した斜視図
【図５】他楽器を使用した時の本考案の実施状態を示した斜視図
【図６】従来の一般的なハーモニカホルダー
【図７】両肩掛ハーモニカホルダーの斜視図
【考案を実施するための形態】
【００１５】
以下、本考案の実施の形態を図に基づいて説明する。
【実施例１】
【００１６】
図１はハーモニカホルダーの斜視図である。ハーモニカホルダー１は、吊り金具２とハーモニカ保持金具７から構成され、両金具は手で締付け可能な固定ネジ９で連結されている。
【００１７】
吊り金具下部には、ハーモニカ保持金具取付部分が、演奏者の前方に突き出す形で形成されており、当該部分を中心に、演奏者の胸部に密着するように滑り止め加工が施された振れ止め４・６が左右方向に張出してある。片方の振れ止め４は、演奏者首元の方向に伸びており、首回りに掛かるように湾曲してある。更に滑り止め加工が施されている。
【００１８】
あるいは、図７のように演奏者の胸部に密着するように左右方向に張出した吊り金具の両先端は、演奏者の首元の方向に伸びて両肩に掛かるようにしても良い。
【００１９】
ハーモニカ保持金具７の上部にはバネあるいはゴム等の弾性体８によりハーモニカ１０が固定されてあり、容易にハーモニカを脱着すことが可能である。
【００２０】
図３はハーモニカホルダーの右側面図であり、演奏者の前方に突き出す形で形成されたハーモニカ保持金具取付部分は、溝部５が形成されていることにより、高さと角度を自由に変えることができる。
【００２１】
また、左ききのギター演奏者が右肩にベルトを掛ける場合は、吊り金物の開口部を右側に設けることで、ギターベルト１３に接することがないように出来る。
【産業上の利用可能性】
【００２２】
本考案はハーモニカホルダーを製造する産業で利用される。
【符号の説明】
【００２３】
１  ハーモニカホルダー
２  吊り金具
３  首掛け
４  振れ止め
５  溝部
６  振れ止め
７  ハーモニカ保持金具
８  弾性体
９  固定ネジ
１０  ハーモニカ
１１  人物
１２  ギター
１３  ギターベルト
１４  従来のハーモニカホルダー
【図１】
0003170328.tif 000003
【図２】
0003170328.tif 000004
【図３】
0003170328.tif 000005
【図４】
0003170328.tif 000006
【図５】
0003170328.tif 000007
【図６】
0003170328.tif 000008
【図７】
0003170328.tif 000009
【手続補正書】
【提出日】平成23年7月14日(2011.7.14)
【手続補正１】
【補正対象書類名】明細書
【補正対象項目名】０００９
【補正方法】変更
【補正の内容】
【０００９】
上記の目的を達成するために、本考案に係るハーモニカホルダーは、略Ｔ字状に形成された頂部にハーモニカ挟持機構を備えたハーモニカ保持金具と、演奏者の首回りから吊り下げる略Ｃ字状に形成された棒状の吊り金具とを、演奏者の前方に回転可能に連結して両金具の角度と高さを調整可能にしたハーモニカホルダーにおいて、吊り金具の首掛け部分が、開口端部になっている。
【手続補正２】
【補正対象書類名】明細書
【補正対象項目名】００１５
【補正方法】変更
【補正の内容】
【００１５】
以下、本考案の実施の形態を図に基づいて説明する。図１は本考案のハーモニカホルダーの斜視図、図２はその正面図、図３はその右側面図であり、ハーモニカホルダー１は図５に示すように演奏者すなわち人物１１の首回りに吊り下げて、ハーモニカの落下を防ぐと共に、両手が使えない状態で保持可能に構成されている。
【手続補正３】
【補正対象書類名】明細書
【補正対象項目名】００１６
【補正方法】変更
【補正の内容】
【００１６】
図１及び図２はハーモニカホルダーの斜視図と正面図である。ハーモニカホルダー１は、吊り金具２とハーモニカ保持金具７から構成され、両金具は手で締付け可能な固定ネジ９で連結されている。
【手続補正４】
【補正対象書類名】明細書
【補正対象項目名】００１７
【補正方法】変更
【補正の内容】
【００１７】
上記吊り金具２は略Ｃ字状に形成された棒状の金具であり、その下部には、ハーモニカ保持金具取付部分である溝部５が、演奏者すなわち人物１１の前方に突き出す形で形成されており、当該部分を中心に、演奏者の胸部に密着するように滑り止め加工が施された振れ止め４・６が左右方向に張出してある。片方の振れ止め４は、演奏者首元の方向に伸びており、開口端部の湾曲した首掛け３により首回りに掛かるようにしてある。更に滑り止め加工が施されている。
【手続補正５】
【補正対象書類名】明細書
【補正対象項目名】００１８
【補正方法】変更
【補正の内容】
【００１８】
あるいは、図７のように演奏者（人物表示なし）の胸部に密着するように左右方向に張出した吊り金具２の両先端は、演奏者の首元の方向に伸びて両肩に掛かるようにしても良い。
【手続補正６】
【補正対象書類名】明細書
【補正対象項目名】００１９
【補正方法】変更
【補正の内容】
【００１９】
上記ハーモニカ保持金具７は略Ｔ字状に形成されており、その頂部にはバネあるいはゴム等の弾性体８による挟持機構を備えてあり、容易にハーモニカ１０を脱着することが可能である。
【手続補正７】
【補正対象書類名】明細書
【補正対象項目名】００２０
【補正方法】変更
【補正の内容】
【００２０】
図３はハーモニカホルダー１の右側面図であり、演奏者の前方に突き出す形で形成されたハーモニカ保持金具７の取付部分は、溝部５が形成されていることにより、高さと角度を自由に変えることができる。
【手続補正８】
【補正対象書類名】明細書
【補正対象項目名】００２１
【補正方法】変更
【補正の内容】
【００２１】
また、左ききのギター演奏者が右肩にギターベルト１３を掛ける場合は、吊り金物の開口部を右側に設けることで、ギターベルト１３に接することがないように出来る。
【手続補正９】
【補正対象書類名】実用新案登録請求の範囲
【補正対象項目名】請求項１
【補正方法】変更
【補正の内容】
【請求項１】
演奏者の首回りに吊り下げる略Ｃ字状に形成された棒状の吊り金具（２）と、略Ｔ字状に形成された頂部にハーモニカ挟持機構を備えたハーモニカ保持金具（７）とを、演奏者の前方に回転可能に連結してあるハーモニカホルダーであって、前記吊り金具（２）の首掛け（３）部分が開口端部になっていることを特徴とするハーモニカホルダー。
【手続補正１０】
【補正対象書類名】実用新案登録請求の範囲
【補正対象項目名】請求項２
【補正方法】変更
【補正の内容】
【請求項２】
吊り金具（２）下部には、ハーモニカ保持金具（７）取付部分である溝部（５）が、演奏者の前上方向に突き出す形で形成されている、請求項１記載のハーモニカホルダー。